(57)【要約】      （修正有）【課題】カバーの開閉状態がより確実に正しく決定されるようにすることができる電子装置を提供する。【解決手段】約１３．５６Ｍｈｚの周波数のクロック信号を検出する検出機能と、ＮＦＣの規格に準拠した通信をスマートフォンと行う通信機能とを有するＮＦＣリーダー１０を第１カバー６に設ける。ＮＦＣリーダー１０の検出機能により検出可能な送信用クロック信号を出力するアンテナ２８を筐体３に設ける。第１カバー６の閉状態ではＮＦＣリーダー１０とアンテナ２８との間隔が所定距離以下でＮＦＣリーダー１０の検出機能による送信用クロック信号の検出が可能となる。一方、第１カバー６の開状態ではＮＦＣリーダー１０とアンテナ２８との間隔が所定距離より広い状態でＮＦＣリーダー１０の検出機能による送信用クロック信号の検出が不可能となる。【選択図】図４
2017087462.tif 000002
【特許請求の範囲】
【請求項１】
電子装置において、
前記電子装置の筐体と、
前記筐体に開閉可能に取り付けられるカバーと、
前記筐体または前記カバーの一方に配置され、所定周波数の第１信号を無線通信により出力する信号出力部と、
前記筐体または前記カバーの他方に配置され、前記第１信号の検出と、前記所定周波数を用いて外部機器との無線通信とを行う通信部と、
前記通信部による前記第１信号の検出に基づいて、カバーの開閉状態を決定する制御部とを備えていることを特徴する電子装置。
【請求項２】
請求項１に記載の電子装置において、
前記カバーの閉状態は前記信号出力部と前記通信部の間隔が所定距離以下で前記通信部による前記第１信号の検出が可能となり、
前記カバーの開状態は前記信号出力部と前記通信部の間隔が前記所定距離より広い状態で前記通信部による前記第1信号の検出が不可能となるように、前記信号出力部及び前記通信部が配置されている電子装置。
【請求項３】
請求項１に記載の電子装置において、
前記通信部は、前記第１信号の検出時に所定の検知信号を出力し、
前記制御部は、前記信号出力部が第１信号を送信していない状態で前記通信部により検知信号が出力されている場合には、前記信号出力部に前記第１信号を出力させない電子装置。
【請求項４】
請求項１〜３のいずれか１項に記載の電子装置において、
前記所定周波数は、約１３．５６Ｍｈｚであることを特徴とする電子装置。
【請求項５】
請求項１〜４のいずれか１項に記載の電子装置において、
前記通信部により行われる無線通信は、ＮＦＣの規格に準拠していることを特徴とする電子装置。
【請求項６】
請求項１〜５のいずれか１項に記載の電子装置であって、
当該電子装置はプリンタであり、
インクを噴射する印刷ヘッドと、
印刷用紙に沿って移動自在に支持され、前記印刷ヘッドを保持するキャリアと、
前記キャリアを、前記印刷用紙に沿って移動させるキャリア駆動手段とを備え、
前記筐体は、前記キャリアを収容し、  
前記制御部は、前記カバーが開状態であると決定したことに基づき、前記キャリアを所定の位置に移動させることを特徴とする電子装置。
【請求項７】
請求項６に記載の電子装置において、
前記信号出力部による第１信号の出力は、所定の時間間隔毎に行われ、
前記所定の時間間隔は、前記制御部により前記カバーが開状態であると決定されているときに、前記カバーが閉状態であると決定されているときよりも長いことを特徴とする電子装置。
【請求項８】
請求項６に記載の電子装置において、
前記信号出力部による第１信号の出力は、所定の時間間隔毎に行われ、
前記所定の時間間隔は、印刷動作中に、非印刷動作中よりも短いことを特徴とする電子装置。
【請求項９】
請求項６に記載の電子装置において、
前記信号出力部によって出力される第１信号の周波数は、非印刷動作中に、印刷動作中よりも前記所定周波数に近い値となることを特徴とする電子装置。
【発明の詳細な説明】
【技術分野】
【０００１】
本発明は、筐体と、該筐体に開閉可能に取り付けられるカバーとを備え、上記カバーの開閉状態を検出する電子装置に関する。
【背景技術】
【０００２】
特許文献１には、筐体と、該筐体に開閉可能に取り付けられるカバーとを備え、上記カバーの開閉状態を検出するプリンタが開示されている。このプリンタは、検知用突部を有する揺動可能なセンサーレバーと、当該センサーレバーの検知用突部の侵入の有無に応じて開閉状態を決定する検知部とを備えている。
【先行技術文献】
【特許文献】
【０００３】
【特許文献１】特開２０１２−１５８１０１号公報
【発明の概要】
【発明が解決しようとする課題】
【０００４】
ところで、上記特許文献１では、検知部をフォトインタラプタで構成することが考えられる。しかし、このようにした場合には、検知部が検知用突部とゴミ等の異物とを判別できないので、検知部への異物の侵入によりカバーの開閉状態が正しく決定されなくなるおそれがある。
【０００５】
この発明は、かかる点に鑑みてなされたものであり、その目的とするところは、カバーの開閉状態がより確実に正しく決定されるようにすることにある。
【課題を解決するための手段】
【０００６】
本発明の一態様では、電子装置において、前記電子装置の筐体と、前記筐体に開閉可能に取り付けられるカバーと、前記筐体または前記カバーの一方に配置され、所定周波数の第１信号を無線通信により出力する信号出力部と、前記筐体または前記カバーの他方に配置され、前記第１信号の検出と、前記所定周波数を用いて外部機器との無線通信とを行う通信部と、前記通信部による前記第１信号の検出に基づいて、カバーの開閉状態を決定する制御部とを備えていることを特徴とする。
【０００７】
この態様によると、無線通信により出力される第１信号の検出の有無に応じてカバーの開閉状態が決定されるので、ゴミ等の異物が制御部周りに侵入しても、無線通信に影響を及ぼさない性質の異物であれば、カバーの開閉状態が正しく決定される。したがって、カバーの開閉状態をより確実に正しく決定できる。
【０００８】
また、通信部により検出される第１信号の周波数が、外部機器との無線通信に利用される周波数と共通なので、外部機器との無線通信用の機構を第１信号の検出に兼用することにより、部品点数を削減できる。
【０００９】
そして、上の態様の電子装置において、前記カバーの閉状態は前記信号出力部と前記通信部の間隔が所定距離以下で前記通信部による前記第１信号の検出が可能となり、前記カバーの開状態は前記信号出力部と前記通信部の間隔が前記所定距離より広い状態で前記通信部による前記第1信号の検出が不可能となるように、前記信号出力部及び前記通信部が配置されているものとしてもよい。
【００１０】
また、上の態様の電子装置において、前記通信部は、前記第１信号の検出時に所定の検知信号を出力し、前記制御部は、前記信号出力部が第１信号を送信していない状態で前記通信部により検知信号が出力されている場合には、前記信号出力部に前記第１信号を出力させないものとしてもよい。
【００１１】
この態様によると、通信部が外部機器からの第１信号を検出したときには、信号出力部が第１信号を出力しないので、通信部と外部機器との通信に、信号出力部により出力される第１信号が悪影響を及ぼすことを防止できる。
【００１２】
また、上の態様の電子装置において、前記所定周波数は、約１３．５６ＭＨｚであるものとしてもよい。
【００１３】
この態様によると、通信部は、約１３．５６ＭＨｚの周波数を利用して外部機器と無線通信を行うので、約１３．５６ＭＨｚの周波数を利用した無線通信用の機構を第１信号の検出に兼用できる。
【００１４】
また、上の態様の電子装置において、前記通信部により行われる無線通信は、ＮＦＣの規格に準拠したものとしてもよい。
【００１５】
この態様によると、通信部は、ＮＦＣの規格に準拠した通信機能を有しているので、ＮＦＣの規格に準拠した通信用の機構を第１信号の検出に兼用できる。
【００１６】
本発明の他の態様では、上の態様の電子装置であって、当該電子装置はプリンタであり、インクを噴射する印刷ヘッドと、印刷用紙に沿って移動自在に支持され、前記印刷ヘッドを保持するキャリアと、前記キャリアを、前記印刷用紙に沿って移動させるキャリア駆動手段とを備え、前記筐体は、前記キャリアを収容し、前記制御部は、前記カバーが開状態であると決定したことに基づき、前記キャリアを所定の位置に移動させる。
【００１７】
この態様によると、ユーザがカバーを開けたときにキャリアが所定の位置に自動的に移動するので、キャリアを所定の位置に移動させるためのユーザによる操作が必要なく、使い勝手が良い。
【００１８】
また、上の態様の電子装置において、前記信号出力部による第１信号の出力は、所定の時間間隔毎に行われ、前記所定の時間間隔は、前記制御部により前記カバーが開状態であると決定されているときに、前記カバーが閉状態であると決定されているときよりも長いものとしてもよい。
【００１９】
この態様によると、カバーが開状態であるときには、長い時間間隔で第１信号の出力を行うので、消費電力を削減できる。
【００２０】
一方、カバーが閉状態であるときには、短い時間間隔でカバーの開閉状態の決定が行われるので、ユーザがカバーを開けたときにキャリアが待避位置に移動するまでの待ち時間が短くなる。
【００２１】
また、上の態様の電子装置において、前記信号出力部による第１信号の出力は、所定の時間間隔毎に行われ、前記所定の時間間隔は、印刷動作中に、非印刷動作中よりも短いものとしてもよい。
【００２２】
この態様によると、印刷動作中には、短い時間間隔でカバーの開閉状態の決定が行われるので、ユーザがカバーを開けてからキャリアが待避位置に移動し終えるまでにかかる時間が短縮される。したがって、ユーザが手を移動中のキャリアに接触させて怪我することを防止できる。一方、非印刷動作中には、長い時間間隔で第１信号の出力を行うので、消費電力を削減できる。
【００２３】
また、上の態様の電子装置において、前記信号出力部によって出力される第１信号の周波数は、非印刷動作中に、印刷動作中よりも前記所定周波数に近い値としてもよい。  
【００２４】
この態様によると、非印刷動作中に、印刷動作中に比べ、通信部による第１信号の検出が可能となるカバーの配置領域が広くなる。したがって、非印刷動作中にはカバーが開状態であると決定されにくく、キャリアの待避位置への無駄な移動による消費電力が削減される。一方、印刷動作中にはカバーが開状態であると決定されやすく、ユーザがカバーを開けたときにキャリアが待避位置に移動するまでの待ち時間が短くなる。
【発明の効果】
【００２５】
本発明によれば、カバーの開閉状態をより確実に正しく決定できる。
【図面の簡単な説明】
【００２６】
【図１】本発明の実施形態１に係るカバー閉状態のプリンタを示す斜視図である。
【図２】本発明の実施形態１に係るカバー開状態のプリンタを示す斜視図である。
【図３】本発明の実施形態１に係るプリンタの内部を示す概略斜視図である。
【図４】（ａ）は、カバー閉状態における図１のＡ−Ａ線における概略断面図であり、（ｂ）は、カバー開状態における図４（ａ）相当図である。
【図５】本発明の実施形態１に係るプリンタの構成を示すブロック図である。
【図６】本発明の実施形態１に係るプリンタのアンテナ周りの構成を示す回路図である。
【図７】本発明の実施形態１に係るプリンタの制御部の動作を示すフローチャートである。
【図８】（ａ）は、スマートフォンとの通信中における検知信号と送信用クロック信号を示すタイミングチャートであり、（ｂ）は、カバー閉状態における図８（ａ）相当図であり、（ｃ）は、カバー開状態における図８（ａ）相当図である。
【図９】実施形態１の変形例の図６相当図である。
【図１０】実施形態２の図７相当図である。
【図１１】実施形態３の図７相当図である。
【図１２】（ａ）は、実施形態４の図１相当図であり、（ｂ）は、実施形態４の図２相当図である。
【発明を実施するための形態】
【００２７】
以下、本発明の実施形態について図面に基づいて説明する。
【００２８】
（実施形態１）
図１〜５は、本発明の実施形態１に係るプリンタ１を示す。このプリンタ１は、印刷用紙２にインクを噴射して画像を印刷する、いわゆるインクジェットプリンタである。なお、以下、図１中矢印Ｘ１で示す方向を前方向、図１中矢印Ｘ２で示す方向を後方向、図１中矢印Ｙで示す方向を幅方向と呼ぶ。
【００２９】
プリンタ１は、略矩形箱状の被取付部としての筐体３と、該筐体３から後方に向けて斜め上方に立ち上がるように設けられたペーパレスト４とを備えている。上記筐体３の上面における幅方向一端部（図２中右側端部）には、開口部３ａが形成されている。一方、上記筐体３の上面における上記開口部３ａより幅方向他端側（図２中左側）には、原稿を載置するための矩形状のガラス板５が配設されている。また、上記筐体３の上面の後端部には、閉状態で上記筐体３の開口部３ａを覆う第１カバー６と、閉状態で上記ガラス板５を覆う第２カバー７とがそれぞれヒンジ８，９を介して上下に開閉可能に取り付けられている。また、上記筐体３の前面には、図示しない排紙口を覆う第３カバー１２が開閉可能に取り付けられている。
【００３０】
上記第１カバー６の前後方向中央より若干ヒンジ８寄りの位置には、通信部としてのＮＦＣリーダー１０が内蔵されている。このＮＦＣリーダー１０は、約１３．５６Ｍｈｚの周波数の第１信号としてのクロック信号を無線通信により検出する検出機能と、ＮＦＣ（ＩＳＯ／ＩＥＣ１８０９２）の規格に準拠した無線通信を外部機器としてのスマートフォン１１（図５参照）と行う通信機能と、上記検出機能によるクロック信号の検出時に所定の検知信号を出力する検知信号出力機能とを有する。上記検出機能、すなわちクロック信号の検出には、通信機能、すなわちスマートフォン１１との通信に用いるアンテナ（図示せず）等の機構が兼用される。また、スマートフォン１１は、ＮＦＣリーダー１０との通信中、上記検出機能により検出されるクロック信号を出力するようになっている。
【００３１】
また、上記ＮＦＣリーダー１０は、スマートフォン１１との通信により印刷データ及び印刷指示を受信する。
【００３２】
上記筐体３の内側には、印刷用紙２を搬送するための給紙ローラ１３ａ、搬送ローラ１３ｂ、及び排出ローラ１３ｃと、これらローラ１３ａ，１３ｂ，１３ｃを回転させるための搬送モータ１４とが設けられている。上記給紙ローラ１３ａ、搬送ローラ１３ｂ、及び排出ローラ１３ｃは、搬送モータ１４の駆動力により、不図示のギア等から成るローラ駆動機構を介して回転制御される。給紙ローラ１３ａは、ペーパレスト４に載置されている印刷用紙２を取り込んで搬送ローラ１３ｂへと搬送する。搬送ローラ１３ｂは、給紙ローラ１３ａから搬送された印刷用紙２を排出ローラ１３ｃへと搬送し、排出ローラ１３ｃは、搬送ローラ１３ｂから搬送された印刷用紙２をさらに搬送して、筐体３の排紙口（図示せず）から排出する。
【００３３】
また、上記筐体３の内面には、上記搬送ローラ１３ｂ、及び排出ローラ１３ｃの上方で、印刷用紙２の印刷面と平行にかつ印刷用紙２の搬送方向と直交する方向に延びるガイド軸１５が取り付けられている。このガイド軸１５には、所定ピッチの明暗パターンが形成されたエンコーダストリップ１６が設けられている。また、このガイド軸１５によって、モノクロ用インクカートリッジ１７ａと、カラー用インクカートリッジ１７ｂを着脱自在に保持するキャリア１８が当該ガイド軸１５に沿って移動可能に支持されている。上記モノクロ用インクカートリッジ１７ａは、印刷用紙２に画像を印刷するためのモノクロ（ブラック）インクを貯蔵し、カラー用インクカートリッジ１７ｂは、印刷用紙２に画像を印刷するためのカラー（シアン、マゼンダ、イエロー）インクを貯蔵している。
【００３４】
上記モノクロ用インクカートリッジ１７ａには、該モノクロ用インクカートリッジ１７ａに貯蔵されているモノクロインクを噴射するモノクロ用印刷ヘッド１９ａが一体的に設けられている。一方、上記カラー用インクカートリッジ１７ｂには、該カラー用インクカートリッジ１７ｂに貯蔵されているカラーインクを噴射するカラー用印刷ヘッド１９ｂが一体的に設けられている。したがって、モノクロ用印刷ヘッド１９ａ及びカラー用印刷ヘッド１９ｂもキャリア１８に保持されている。
【００３５】
さらに、上記筐体３の内面には、上記ガイド軸１５に沿って進退可能なキャリアベルト２１等からなるキャリア駆動機構がキャリアモータ２０を介して取り付けられている。そして、上記キャリア１８は、上記キャリアモータ２０の駆動力により、上記キャリア駆動機構を介して移動制御される。また、キャリア１８の背面には、光センサ２２及びキャリア基板２３が設けられ、キャリア１８と共に移動するようになっている。光センサ２２は、エンコーダストリップ１６の明暗パターンからの反射光を検出し、その反射光強度の変化に基づいて、キャリア１８の移動量に比例したパルス数のキャリア移動量検出信号を出力する。
【００３６】
上記筐体３における上記ガイド軸１５よりも後側には、メイン基板２５が収容されている。
【００３７】
上記筐体３上面における開口部３ａの後側には、サブ基板２８が上記第１カバー６の閉状態で上記ＮＦＣリーダー１０に対向するように筐体３内側から取り付けられている。
【００３８】
以下、キャリア基板２３、メイン基板２５、及びサブ基板２８の詳細な構成を、他の構成要素との関係とともに、図５を参照して説明する。
【００３９】
キャリア基板２３には、ヘッド駆動回路２４が実装されている。ヘッド駆動回路２４は、メイン基板２５の制御部３０によって送信されるヘッド駆動信号に基づいて、印刷ヘッド１９ａ，１９ｂを駆動して印刷ヘッド１９ａ，１９ｂからインクを噴射させる。
【００４０】
サブ基板２８は、図６にも示すように、メイン基板２５にワイヤ２９を介して電気的に接続されている。サブ基板２８には、上記ＮＦＣリーダー１０の検出機能により検出可能な第１信号としての送信用クロック信号を無線通信により出力する信号出力部としてのアンテナ２８ａが設けられている。したがって、上記第１カバー６の閉状態では図４（ａ）に示すようにＮＦＣリーダー１０とアンテナ２８ａとの間隔が所定距離以下でＮＦＣリーダー１０の検出機能による送信用クロック信号の検出が可能となる。一方、上記第１カバー６の開状態では図４（ｂ）に示すようにＮＦＣリーダー１０とアンテナ２８ａとの間隔が所定距離より広い状態となる。これにより、アンテナ２８ａからＮＦＣリーダー１０に届く電波の強度が低くなり、ＮＦＣリーダー１０の検出機能による送信用クロック信号の検出が不可能となる。また、アンテナ２８ａは、メイン基板２５側で接地されている。
【００４１】
メイン基板２５は、キャリア基板２３にＦＦＣ（フレキシブルフラットケーブル）２６を介して電気的に接続されているとともに、上記ＮＦＣリーダー１０にワイヤ２７を介して電気的に接続されている。メイン基板２５には、プリンタ１の動作を制御するためのＣＰＵ、ＲＯＭ、及びＲＡＭ等を含む制御部３０と、搬送モータ駆動回路３１と、キャリアモータ駆動回路３２とが実装されている。なお、上記制御部３０は、ＳＯＣ（System-on-a-chip）３３に実装されている。
【００４２】
搬送モータ駆動回路３１は、制御部３０による制御により搬送モータ１４を駆動する。搬送モータ１４が駆動されることにより、給紙ローラ１３ａ、搬送ローラ１３ｂ、及び排出ローラ１３ｃが回転して、印刷用紙２が搬送される。
【００４３】
キャリアモータ駆動回路３２は、制御部３０による制御によりキャリアモータ２０を駆動する。上記キャリアモータ駆動回路３２、キャリアモータ２０、ガイド軸１５、及びキャリア駆動機構により、印刷用紙２に沿ってキャリア１８を移動させるキャリア駆動手段が構成されている。
【００４４】
制御部３０は、約１３．５６Ｍｈｚの周波数の送信用クロック信号を発生し、上記サブ基板２８のアンテナ２８ａに送信する。
【００４５】
また、制御部３０は、印刷ヘッド１９ａ，１９ｂからインクを噴射させるためのヘッド駆動信号を上記ＦＦＣ２６を介して印刷ヘッド１９ａ，１９ｂに送信するとともに、上記光センサ２２から上記キャリア移動量検出信号を受信する。制御部３０は、受信したキャリア移動量検出信号に基づいて、キャリア１８の位置及び移動方向等を判断する。
【００４６】
さらに、制御部３０は、上記ＮＦＣリーダー１０により受信された印刷データ及び印刷指示に基づいて、印刷用紙２に画像を印刷するために各部の制御を実行する。
【００４７】
また、制御部３０は、ＮＦＣリーダー１０によって出力された検知信号を上記ワイヤ２７を介して受信し、この検知信号に基づいて、送信用クロック信号の送信を制御するとともに、第１カバー６の開閉状態を決定する。そして、上記第１カバー６が開状態であると決定したときには、キャリア１８を両インクカートリッジ１７ａ，１７ｂを開口部３ａを介して交換可能な待避位置（閉状態の第１カバー６に対向する位置）に移動させるようにキャリアモータ駆動回路３２を制御する。また、印刷動作中に第１カバー６が開状態であると決定したときには、印刷動作を停止するように印刷ヘッド１９ａ，１９ｂを制御する。
【００４８】
また、プリンタ１は、第１カバー６を開くことにより、筐体３内に収容されたインクカートリッジ１７ａ，１７ｂを交換できるようになっている。プリンタ１の制御部３０は、プリンタ１の電源が投入された状態で、所定の時間間隔毎に第１カバー６の開閉状態を決定している。プリンタ１の第１カバー６が開けられると、筐体３内に収容されたキャリア１８をインクカートリッジ１７ａ，１７ｂを交換可能な待避位置に移動させるとともに、印刷動作中である場合には印刷動作を停止する。
【００４９】
図７は、制御部３０が第１カバー６の開閉状態を決定する動作を示す。
【００５０】
まず、Ｓ１０１において、制御部３０が、図８（ａ）〜（ｃ）中（１）で示すタイミングで、送信用クロック信号の送信を停止した状態で、ＮＦＣリーダー１０により検知信号が出力されているか（ローレベルになっているか）を判定する。そして、図８（ａ）に示すように検知信号が出力されている場合（ローレベルになっている場合）にはＳ１０２の処理に進む。一方、図８（ｂ）及び図８（ｃ）に示すように検知信号が出力されていない場合（ハイレベルになっている場合）にはＳ１０４の処理に進む。
【００５１】
Ｓ１０２では、制御部３０が、ＮＦＣリーダー１０がスマートフォン１１との通信（ＮＦＣ）を行うと判定し、ＮＦＣリーダー１０にスマートフォン１１との通信を開始させる。このとき、制御部３０は、送信用クロック信号をアンテナ２８ａに送信せず、アンテナ２８ａから送信用クロック信号が出力されない。
【００５２】
Ｓ１０３では、制御部３０が、ＮＦＣリーダー１０とスマートフォン１１との通信が終了するのを待ち、終了したことを示すハイレベルの検知信号をＮＦＣリーダー１０から受信すると、Ｓ１０１の処理に戻る。
【００５３】
Ｓ１０４では、制御部３０が、図８（ｂ）及び図８（ｃ）中（２）で示すタイミングで約１３．５６Ｍｈｚの送信用クロック信号をアンテナ２８ａに送信する。これにより、アンテナ２８ａから送信用クロック信号が出力される。
【００５４】
Ｓ１０５では、制御部３０が、図８（ｂ）及び図８（ｃ）中（３）で示すタイミングで、ＮＦＣリーダー１０により検知信号が出力されているか（ローレベルになっているか）を判定する。そして、図８（ｃ）に示すように検知信号が出力されていない場合には、第１カバー６が開状態になっていると決定する。そして、印刷動作を停止するようにヘッド駆動回路２４を制御するとともにキャリア１８を上記待避位置に移動させるようにキャリアモータ駆動回路３２を制御し、Ｓ１０６の処理に進む。一方、図８（ｂ）に示すように検知信号が出力されている場合には第１カバー６が閉状態になっていると決定し、Ｓ１０８の処理に進む。
【００５５】
Ｓ１０６では、制御部３０が、図８（ｃ）中（４）で示すタイミングで、送信用クロック信号の送信を停止する。
【００５６】
Ｓ１０７では、制御部３０が、所定の時間Ｔ１の経過を待ち、Ｓ１０１の処理に戻る。
【００５７】
Ｓ１０８では、制御部３０が、図８（ｂ）中（４）で示すタイミングで、送信用クロック信号の送信を停止する。
【００５８】
Ｓ１０９では、制御部３０が、上記時間Ｔ１より短い時間Ｔ２の経過を待ち、Ｓ１０１の処理に戻る。
【００５９】
プリンタ１の電源がオンしている間、制御部３０は、Ｓ１０１〜Ｓ１０９の処理を繰り返す。第１カバー６が開状態であるときには、長い時間間隔で送信用クロック信号の送信が行われるので、消費電力が削減される。一方、第１カバー６が閉状態であるときには、短い時間間隔で第１カバー６の開閉状態の決定が行われるので、ユーザが第１カバー６を開けたときにキャリア１８が待避位置に移動するまでの待ち時間が短くなる。
【００６０】
したがって、本実施形態１によると、無線通信により出力される送信用クロック信号の検出の有無に応じて第１カバー６の開閉状態が決定されるので、ゴミ等の異物が筐体３と第１カバー６との間に侵入しても、無線通信に影響を及ぼさない性質の異物であれば、第１カバー６の開閉状態が正しく決定される。したがって、第１カバー６の開閉状態をより確実に正しく決定できる。
【００６１】
また、ＮＦＣリーダー１０によるクロック信号の検出に、スマートフォン１１とのＮＦＣの規格に準拠した通信用の機構が兼用されるので、部品点数が削減される。
【００６２】
また、ＮＦＣリーダー１０がスマートフォン１１と通信しているときには、アンテナ２８ａによる送信用クロック信号の出力が開始されないので、ＮＦＣリーダー１０とスマートフォン１１との通信に、アンテナ２８ａにより出力される送信用クロック信号が悪影響を及ぼさない。
【００６３】
また、ユーザが第１カバー６を開けたときにキャリア１８が待避位置に自動的に移動するので、キャリア１８を待避位置に移動させるためのユーザによる操作が必要なく、使い勝手が良い。
【００６４】
（実施形態１の変形例）
図９は、本発明の実施形態１の変形例におけるアンテナ２８ａ周りの構成を示す。本変形例１では、アンテナ２８ａが接地されておらず、サブ基板２８が設けられていない。
【００６５】
その他の構成及び動作は、実施形態１と同じであるので、同一の構成には同一の符号を付してその詳細な説明を省略する。  
【００６６】
（実施形態２）
図１０は、本発明の実施形態２に係るプリンタ１の制御部３０が第１カバー６の開閉状態を決定する動作を示す。本実施形態２では、制御部３０が、第１カバー６が閉状態であると決定した場合に、Ｓ１０８の処理の後、Ｓ２０１において、印刷動作中であるか否かを判定する。印刷動作中である場合にはＳ２０２に進む一方、印刷動作中でない場合にはＳ１０９に進む。Ｓ２０２では、制御部３０が、時間Ｔ２よりも短い時間Ｔ３の経過を待ち、Ｓ１０１に戻る。
【００６７】
その他の構成及び動作は実施形態１と同じであるので、同一の動作には同一の符号を付してその詳細な説明を省略する。
【００６８】
したがって、本実施形態２によると、印刷動作中には、短い時間間隔で第１カバー６の開閉状態の決定が行われるので、ユーザが第１カバー６を開けてからキャリア１８が待避位置に移動し終えるまでにかかる時間が短縮される。したがって、ユーザが手を移動中のキャリア１８に接触させて怪我することを防止できる。一方、非印刷動作中には、長い時間間隔で送信用クロック信号の出力が行われるので、消費電力が削減される。
【００６９】
（実施形態３）
図１１は、本発明の実施形態３に係るプリンタ１の制御部３０が第１カバー６の開閉状態を決定する動作を示す。本実施形態３では、制御部３０が、Ｓ１０１で検知信号が出力されていない（ハイレベルになっている）と判定した後、Ｓ３０１において、印刷動作中であるか否かを判定する。印刷動作中である場合にはＳ３０２に進む一方、印刷動作中でない場合にはＳ１０４に進む。Ｓ３０２では、制御部３０が、１４Ｍｈｚの送信用クロック信号をアンテナ２８ａに送信し、Ｓ１０５に進む。
【００７０】
その他の構成及び動作は実施形態１と同じであるので、同一の動作には同一の符号を付してその詳細な説明を省略する。
【００７１】
したがって、本実施形態３によると、非印刷動作中に、アンテナ２８ａによって出力される送信用クロック信号の周波数が印刷動作中よりも１３．５６ＭＨｚに近い値となるので、印刷動作中に比べ、ＮＦＣリーダー１０による送信用クロック信号の検出が可能となる第１カバー６の配置領域が広くなる。したがって、非印刷動作中には、第１カバー６が開状態であると決定されにくく、キャリア１８の待避位置への無駄な移動による消費電力が削減される。一方、印刷動作中には、第１カバー６が開状態であると決定されやすく、ユーザが第１カバー６を開けてからキャリア１８が待避位置に移動するまでの待ち時間が短くなる。
【００７２】
（実施形態４）
図１２（ａ）及び図１２（ｂ）は、本発明の実施形態４に係るプリンタ１を示す。本実施形態４では、ペーパレスト４が筐体３から前方に向けて斜め上方に立ち上がるように開閉可能に設けられている。また、筐体３の上面の前端部に開口部３ａが形成され、該開口部３ａより後方の上記筐体３の上面にガラス板５（図１２（ａ）及び図１２（ｂ）では図示せず）が配設されている。そして、第１カバー６が、４節平行リンク機構３５により一定の向きを維持したまま開閉されるようになっている。
【００７３】
その他の構成及び動作は、実施形態１と同じであるので、同一の構成には同一の符号を付してその詳細な説明を省略する。
【００７４】
なお、上記実施形態１〜４、及び変形例では、ＮＦＣリーダー１０を第１カバー６に設けるとともに、アンテナ２８ａを筐体３に設けたが、反対に、アンテナ２８ａを第１カバー６に設けるとともに、ＮＦＣリーダー１０を筐体３に設けてもよい。
【００７５】
また、上記実施形態１〜４、及び変形例では、ＮＦＣリーダー１０とメイン基板２５とをワイヤ２７を介して接続したが、ＦＦＣを介して接続してもよい。同様に、メイン基板２５とサブ基板２８とをＦＦＣを介して接続してもよい。
【００７６】
また、上記実施形態１〜４、及び変形例では、アンテナ２８ａをメイン基板２５の外側に設けたが、上記第１カバー６の閉状態で上記ＮＦＣリーダー１０と対向する位置にメイン基板２５を配置し、アンテナ２８ａをメイン基板２５に実装してもよい。
【００７７】
また、上記実施形態１〜４、及び変形例では、ＮＦＣリーダー１０の通信機能を、ＮＦＣ（ＩＳＯ／ＩＥＣ１８０９２）の規格に準拠した通信を行うものとしたが、ＲＦＩＤ等、他の規格に準拠した無線通信を行うものとしてもよい。また、約１３．５６Ｍｈｚの周波数を利用する無線通信に限らず、例えば、Ｂｌｕｅｔｏｏｔｈ（登録商標）の規格に準拠した通信等、２．４Ｍｈｚ、５Ｇｈｚといった約１３．５６Ｍｈｚ以外の所定周波数を用いた無線通信を行うものとしてもよい。
【００７８】
また、上記実施形態１〜４、及び変形例では、外部機器がスマートフォンである例を示したが、外部機器は、無線通信が可能な機器であれば、デジタルカメラ等、他の機器であってもよい。
【００７９】
また、上記実施形態１〜４、及び変形例では、本発明をプリンタ１の第１カバー６の開閉状態の決定に適用したが、本発明は、第２カバー７や第３カバー１２の開閉状態の決定にも適用できる。さらに、本発明は、冷蔵庫の扉、炊飯器の蓋、開閉式の携帯電話等、他の電子装置のカバーの開閉状態の決定にも適用できる。
【００８０】
また、上記実施形態１〜４、及び変形例では、インクカートリッジ１７ａ，１７ｂの交換時に開けられる第１カバー６に本発明を適用したが、本発明は、紙詰まり時に詰まった印刷用紙２を除去する際に開けられるカバーにも適用できる。かかる場合、制御部３０が、カバーが開状態であると決定したときにユーザと接触し難い所定の位置にキャリア１８を移動させるようにすることで、印刷用紙２を除去するユーザの安全性を確保できる。
【００８１】
また、上記実施形態１，２，４、及び変形例では、送信用クロック信号の周波数を、ＮＦＣリーダー１０の通信機能に用いられる周波数と等しい値としたが、ＮＦＣリーダー１０の検知機能により検出可能であれば、異なる値にしてもよい。
【００８２】
また、上記実施形態３では、非印刷動作中の送信用クロック信号の周波数を約１３．５６Ｍｈｚ、印刷中の送信用クロック信号の周波数を１４Ｍｈｚとしたが、非印刷動作中の周波数が、印刷動作中の周波数よりもＮＦＣリーダー１０の通信機能に利用される周波数に近い値になるのであれば、それぞれ他の周波数にしてもよい。
【００８３】
また、上記実施形態１〜４では、制御部３０をＳＯＣ３３に実装したが、ＳＯＣ３３以外のチップに実装してもよい。
【産業上の利用可能性】
【００８４】
本発明は、筐体と、該筐体に開閉可能に取り付けられるカバーとを備え、上記カバーの開閉状態を検出する電子装置として有用である。
【符号の説明】
【００８５】
１      プリンタ（電子装置）
２      印刷用紙
３      筐体
６      第１カバー
１０    ＮＦＣリーダー（通信部）
１１    スマートフォン（外部機器）
１５    ガイド軸（キャリア駆動手段）
１７ａ  モノクロ用インクカートリッジ
１７ｂ  カラー用インクカートリッジ
１８    キャリア
１９ａ  モノクロ用印刷ヘッド
１９ｂ  カラー用印刷ヘッド
２０    キャリアモータ（キャリア駆動手段）
２８ａ  アンテナ（信号出力部）
３０    制御部
３２    キャリアモータ駆動回路（キャリア駆動手段）
【図１】
2017087462.tif 000003
【図２】
2017087462.tif 000004
【図３】
2017087462.tif 000005
【図４】
2017087462.tif 000006
【図５】
2017087462.tif 000007
【図６】
2017087462.tif 000008
【図７】
2017087462.tif 000009
【図８】
2017087462.tif 000010
【図９】
2017087462.tif 000011
【図１０】
2017087462.tif 000012
【図１１】
2017087462.tif 000013
【図１２】
2017087462.tif 000014